(57)【要約】【課題】  本発明は、記念撮影等を行う際、撮影代行者がユーザの意図した構図を簡単に撮影できる電子カメラを提供する。【解決手段】  電子カメラは、撮像部と、表示部と、撮影モード切替部と、構図合わせ撮影部と、を備える。撮像部は、被写体を撮像して画像を生成する。表示部は、画像を表示画面に表示する。撮影モード切替部は、第１撮影時の構図と第２撮影時におけるスルー画の構図とを合わせる撮影ガイド機能を有する構図合わせ撮影モードを含む複数の撮影モードの中から任意の撮影モードに切り替える。構図合わせ撮影部は、構図合わせ撮影モード時には、第１撮影及び第２撮影を前記撮像部に行わせる。【選択図】    図1
2010193050.tif 000002
【特許請求の範囲】
【請求項１】
被写体を撮像して画像を生成する撮像部と、
前記画像を表示画面に表示する表示部と、
第１撮影時の構図と第２撮影時におけるスルー画の構図とを合わせる撮影ガイド機能を有する構図合わせ撮影モードを含む複数の撮影モードの中から任意の撮影モードに切り替える撮影モード切替部と、
前記構図合わせ撮影モード時には、第１撮影及び第２撮影を前記撮像部に行わせる構図合わせ撮影部と、を備え、
前記構図合わせ撮影部は、
第１撮影画像データから前記被写体の輪郭を抽出する第１抽出部と、
前記輪郭の特徴を表す特徴部分の位置を明示する第１目印を設定する第１目印設定部と、
スルー画像データから前記特徴部分を抽出するとともに該特徴部分の位置を明示する第２目印を生成する第２抽出部と、
前記第１目印及び前記第２目印を、前記表示部が表示するスルー画像上に重畳表示させる目印表示制御部と、
を有することを特徴とする電子カメラ。
【請求項２】
請求項１に記載の電子カメラにおいて、
前記被写体の輪郭を表すテンプレートを複数記憶するメモリをさらに備え、
前記第１抽出部は、前記テンプレートに基づいて前記輪郭をパターンマッチングにより抽出することを特徴とする電子カメラ。
【請求項３】
請求項１に記載の電子カメラにおいて、
前記第１目印設定部は、ユーザ入力により前記第１目印を設定することを特徴とする電子カメラ。
【請求項４】
請求項１の電子カメラにおいて、
前記撮像部は、自動露出制御により検出された露出値を含む撮影条件で前記第１撮影を行うとともに、前記第２撮影時には、前記露出値を除く前記第１撮影の撮影条件と、前記自動露出制御により再度検出された露出値とを用いて、前記第２撮影を行うことを特徴とする電子カメラ。
【請求項５】
請求項１から請求項４のいずれか１項に記載の電子カメラにおいて、
前記第１目印と前記第２目印との一致度を判定する一致度判定部をさらに備えることを特徴とする電子カメラ。
【請求項６】
請求項５に記載の電子カメラにおいて、
前記一致度を表す撮影情報を音声でユーザに通知する音声ガイド部をさらに備え、
前記音声ガイド部は、前記一致度判定部の判定結果に応じて前記撮影情報をユーザに音声で通知することを特徴とする電子カメラ。
【請求項７】
請求項５又は６に記載の電子カメラにおいて、
前記構図合わせ撮影部は、前記一致度が予め定めた閾値以下である場合には、前記撮像部に前記第２撮影を行わせることを特徴とする電子カメラ。
【請求項８】
請求項５又は６に記載の電子カメラにおいて、
前記構図合わせ撮影部は、所定時間経過しても前記一致度が予め定めた閾値より大きい場合には、前記撮像部に前記第２撮影を行わせることを特徴とする電子カメラ。
【請求項９】
請求項５又は６に記載の電子カメラにおいて、
前記構図合わせ撮影部は、所定時間経過しても前記一致度が予め定めた閾値より大きい場合には、前記構図合わせ撮影モードを解除する撮影モード解除部をさらに備えることを特徴とする電子カメラ。
【発明の詳細な説明】
【技術分野】
【０００１】
本発明は、モニタを内蔵した電子カメラに関する。
【背景技術】
【０００２】
従来、集合写真や観光地での記念撮影等においては、撮影代行者に電子カメラを渡して撮影を頼むことがよく行われている。そこで、撮影代行者の撮影をしやすくするための撮影モードを搭載した電子カメラが提案されている（例えば、特許文献１、２参照）。
【０００３】
特許文献１に開示された電子カメラによれば、撮影に先立ち、仮撮影を行うことにより取得した画像（プレ画像）から、画像の輪郭線や任意の画像部分を抽出し表示用のモニタに表示する。撮影代行者は、電子カメラを手にした際、そのモニタを見ながらプレ画像の輪郭線と現在の構図における画像の輪郭線とが重なるように構図合わせを行った後、レリーズを押して撮影を行う。
【０００４】
また、特許文献２に開示された電子カメラによれば、仮撮影の時点で、モニタに表示していたスルー画像を構図合わせ用の基準画像として一時記憶し、仮撮影後には、逐次変化するスルー画像にその基準画像を半透明にして合成してモニタに表示する。撮影代行者は、その合成画像を見ながら構図合わせを行った後、レリーズを押して撮影を行う。
【発明の概要】
【発明が解決しようとする課題】
【０００５】
特許文献１や特許文献２に開示された技術によれば、ユーザの意図した構図の画像が得られやすくなるものの、以下の問題点を有している。
【０００６】
特許文献１の電子カメラでは、モニタ上に矢印を表示して、構図合わせの方向を撮影代行者に知らせる。この場合、構図が合うにしたがって矢印が小さく表示されていくものの、電子カメラをどの程度動かせば、矢印が小さくなるのかが明確でない。そのため、撮影代行者にとっては、必ずしも使い勝手が良いとは言えないという問題がある。
【０００７】
また、特許文献２の電子カメラでは、画像の輪郭線が複雑になると、輪郭線と実際の被写体の輪郭線を重ね合わせるに手間取り、撮影代行者が戸惑うおそれが生じる。
【０００８】
そこで、本発明は、記念撮影等を行う際、撮影代行者がユーザの意図した構図を簡単に撮影できる電子カメラを提供することを目的とする。
【課題を解決するための手段】
【０００９】
第１の発明に係る電子カメラは、撮像部と、表示部と、撮影モード切替部と、構図合わせ撮影部と、を備える。撮像部は、被写体を撮像して画像を生成する。表示部は、画像を表示画面に表示する。撮影モード切替部は、第１撮影時の構図と第２撮影時におけるスルー画の構図とを合わせる撮影ガイド機能を有する構図合わせ撮影モードを含む複数の撮影モードの中から任意の撮影モードに切り替える。構図合わせ撮影部は、構図合わせ撮影モード時には、第１撮影及び第２撮影を前記撮像部に行わせる。
【００１０】
さらに、構図合わせ撮影部は、第１抽出部と、第１目印設定部と、第２抽出部と、目印表示制御部と、を有する。第１抽出部は、第１撮影画像データから被写体の輪郭を抽出する。第１目印設定部は、輪郭の特徴を表す特徴部分の位置を明示する第１目印を設定する。第２抽出部は、スルー画像データから特徴部分を抽出するとともにその特徴部分の位置を明示する第２目印を生成する。目印表示制御部は、第１目印及び第２目印を、表示部が表示するスルー画像上に重畳表示させる。
【００１１】
第２の発明は、第１の発明において、被写体の輪郭を表すテンプレートを複数記憶するメモリをさらに備え、第１抽出部は、テンプレートに基づいて輪郭をパターンマッチングにより抽出する。
【００１２】
第３の発明は、第１の発明において、第１目印設定部は、ユーザ入力により第１目印を設定する。
【００１３】
第４の発明は、第１の発明において、撮像部は、自動露出制御により検出された露出値を含む撮影条件で第１撮影を行うとともに、第２撮影時には、露出値を除く第１撮影の撮影条件と、自動露出制御により再度検出された露出値とを用いて、第２撮影を行う。
【００１４】
第５の発明は、第１から第４のいずれか１の発明において、第１目印と前記第２目印との一致度を判定する一致度判定部をさらに備える。
【００１５】
第６の発明は、第５の発明において、一致度を表す撮影情報を音声でユーザに通知する音声ガイド部をさらに備え、音声ガイド部は、一致度判定部の判定結果に応じて撮影情報をユーザに音声で通知する。
【００１６】
第７の発明は、第５又は第６の発明において、構図合わせ撮影部は、一致度が予め定めた閾値以内である場合には、撮像部に第２撮影を行わせる。
【００１７】
第８の発明は、第５又は第６の発明において、構図合わせ撮影部は、所定時間経過しても一致度が予め定めた閾値よりも大きい場合には、撮像部に第２撮影を行わせる。
【００１８】
第９の発明は、第５又は第６の発明において、構図合わせ撮影部は、所定時間経過しても一致度が予め定めた閾値よりも大きい場合には、構図合わせ撮影モードを解除する撮影モード解除部をさらに備える。
【発明の効果】
【００１９】
本発明の電子カメラによれば、記念撮影等を行う際、撮影代行者がユーザの意図した構図を簡単に撮影できる。
【図面の簡単な説明】
【００２０】
【図１】第１実施形態の電子カメラ１の構成を示すブロック図
【図２】図１に示す電子カメラ１の背面図
【図３】ユーザが電子カメラ１で仮撮影を行う場合の動作の一例を表すフローチャート
【図４】第１実施形態の記念撮影モードを説明する図
【図５】第１実施形態の記念撮影モードを説明する図
【図６】撮影代行者が電子カメラ１で本撮影を行う場合の動作の一例を表すフローチャート
【図７】第１実施形態の記念撮影モードを説明する図
【図８】テンプレートを例示する図
【図９】第１実施形態の変形例における記念撮影モードを説明する図
【図１０】第２の変形例における記念撮影モードを説明する図
【図１１】撮影代行者が電子カメラ１で本撮影を行う場合の動作の一例を表すフローチャート
【図１２】第２実施形態の記念撮影モードを説明する図
【発明を実施するための形態】
【００２１】
（第１実施形態）
以下、図面に基づいて本発明の実施の形態を詳細に説明する。
【００２２】
図１は、第１実施形態の電子カメラ１の構成を示すブロック図である。図１に示す通り電子カメラ１には、撮影レンズ１０と、撮像部１１、画像処理部１２と、ＲＡＭ（Ｒａｎｄｏｍ  Ａｃｃｅｓｓ  Ｍｅｍｏｒｙ）１３と、ＲＯＭ（Ｒｅａｄ  Ｏｎｌｙ  Ｍｅｍｏｒｙ）１４と、表示ドライバ１５と、液晶表示モニタ１６と、操作部１７と、ＣＰＵ（Ｃｅｎｔｒａｌ  Ｐｒｏｃｅｓｓｉｎｇ  Ｕｎｉｔ）１８と、記録インターフェース（記録Ｉ／Ｆ）１９と、バス２０と、記録媒体２１と、スピーカ２２とが備えられている。
【００２３】
このうち画像処理部１２、ＲＡＭ１３、ＲＯＭ１４、表示ドライバ１５、ＣＰＵ１８及び記録インターフェース（記録Ｉ／Ｆ）１９は、バス２０を介して互いに接続されている。また、操作部２２はＣＰＵ１８に接続されている。
【００２４】
撮影レンズ１０は、ズームレンズと、フォーカスレンズとを含む複数のレンズ群で構成されている。なお、簡単のため、図１では、撮影レンズ１０を１枚のレンズとして図示する。
【００２５】
撮像部１１は、レンズ駆動機構、絞り、シャッター機構、ＣＣＤ撮像素子、Ａ／Ｄ変換部等からなる。この撮像部１１は、撮影レンズ１１が結像した被写体像の画像データを生成し、画像処理部１２へ送出する。
【００２６】
撮像部１１が生成する画像には、仮撮影や本撮影の画像の他に、構図確認用のスルー画像がある。保存用の画像は、データ量の多い１フレームの画像である。スルー画像は、データ量が少ない連続した複数フレームの画像であって、電子カメラ１の現在の被写体をリアルタイムで表示するための画像である。
【００２７】
画像処理部１２は、撮像部１１が出力する画像データをＲＡＭ１３のフレームメモリに一時的に記憶させる。また、画像処理部１２は、フレームメモリに記憶されている画像データに対してホワイトバランス補正処理、ゲインコントロール処理などの画像処理を行う。
【００２８】
ＲＯＭ１４には、抽出対象の輪郭を表すテンプレートが複数記憶されている。このテンプレートについては後述する。
【００２９】
表示ドライバ１５は、画像データを液晶表示モニタ１６に適した形式に変換する。
【００３０】
記録インターフェース（記録Ｉ／Ｆ）１９には、記録媒体２１を接続するためのコネクタが形成されている。記録インターフェース（記録Ｉ／Ｆ）１９はＣＰＵ１８からの指示により、そのコネクタに接続された記録媒体２１にアクセスして画像の記録処理を行う。
【００３１】
ＣＰＵ１８は、電子カメラ１の統括的な制御を行うプロセッサである。このＣＰＵ１８は、第１抽出部１８ａ、特徴輪郭線設定部１８ｂ、第２抽出部１８ｃ、目印表示制御部１８ｄ、一致度判定部１８ｅ、音声ガイド部１８ｆ及び撮影モード解除部１８ｇとしても機能する。
【００３２】
第１抽出部１８ａは、本撮影に先立ち仮撮影により得られたプレ画像データから被写体の輪郭を抽出する。第１抽出部１８ａは、一例として特開２００６−２２２６９０号公報などに記載された輪郭線抽出処理によって被写体の輪郭を抽出する。
【００３３】
特徴輪郭線設定部１８ｂは、輪郭の特徴を表す特徴部分の位置を明示する特徴輪郭線を第１目印として設定する。第２抽出部１８ｃは、仮撮影の後、スルー画像データから特徴部分を抽出するとともにその特徴部分の位置を明示する対応輪郭線（第２目印）を生成する。なお、第１目印は１つに限らず複数あってもよい。
【００３４】
目印表示制御部１８ｄは、特徴輪郭線（第１目印）及び対応輪郭線（第２目印）を、液晶表示モニタ１６が表示するスルー画像上に重畳表示させる。一致度判定部１８ｅは、スルー画像上に表示された特徴輪郭線と対応輪郭線との一致度を判定する。
【００３５】
音声ガイド部１８ｆは、一致度判定部１８ｅの判定結果に応じて撮影情報をユーザに音声で通知する（詳細は後述する）。
【００３６】
撮影モード解除部１８ｇは、所定時間経過しても特徴輪郭線と対応輪郭線との一致度が予め定めた閾値よりも大きい場合には、後述する記念撮影モードを解除する。
【００３７】
図２は、図１に示す電子カメラ１の背面図である。図２に示す通り、電子カメラ１の上部には、レリーズボタン１７ａが備えられている。電子カメラ１の背面には、広角ズームキー１７ｂと、望遠ズームキー１７ｃと、電源ボタン１７ｄと、モードスイッチ１７ｅ、メニュー切替・実行キー１７ｆと、スピーカ２２と、液晶表示モニタ１６とが備えられている。
【００３８】
液晶表示モニタ１６は、静止画像、スルー画像、電子カメラ１の操作メニュー等を表示する。広角ズームキー１７ｂは、焦点距離を広角側に変更するための操作ボタンである。望遠ズームキー１７ｃは、焦点距離を望遠側に変更するための操作ボタンである。電源ボタン１７ｄは、電子カメラ１の電源をオンオフするボタンである。モードスイッチ１７ｅは、静止画再生と静止画撮影を切り替えるボタンである。メニュー切替・実行キー１７ｆは、電子カメラ１で使用されるメニューを自在に切り替えて設定条件を選択若しくは実行する操作ボタンである。
【００３９】
操作部１７は、図２で説明した電子カメラ１の背面及び上面に備えられている各操作ボタン（レリーズボタン１７ａ、広角ズームキー１７ｂ、望遠ズームキー１７ｃ、電源ボタン１７ｄ、モードスイッチ１７ｅ、メニュー切替・実行キー１７ｆ）の操作を受け付けてＣＰＵ１８に処理の命令を出す。
【００４０】
本実施形態では、撮影モードとして、電子カメラ１の電源をオンにするとすぐに撮影可能なオートモード、風景の撮影に適した風景モード、人物の撮影に適したポートレートモード、自分撮り用の記念撮影等に適した記念撮影モード（構図合わせ撮影モード）などの撮影モードが予め用意されている。これらの撮影モードは、ユーザが操作部１７を介して選択する。
【００４１】
具体的には、図２に示すように、電子カメラ１のメニューの中には、「記念撮影モード」の項目が予め登録されている。ユーザは、メニュー切替・実行キー１７ｆを操作して、「記念撮影モード」の項目を選択すれば、電子カメラ１を「記念撮影モード」に設定することができる。この記念撮影モードの詳細は後述する。
【００４２】
次に、第１実施形態における電子カメラ１の動作の一例を説明する。
【００４３】
図３は、ユーザが電子カメラ１で仮撮影を行う場合の動作の一例を表すフローチャートである。図４、図５は、第１実施形態の記念撮影モードを説明する図である。ここで、以下の説明では、記念撮影モードを設定した場合について説明する。この記念撮影モードでは、まず、ユーザが電子カメラ１で仮撮影を行い、その後、ユーザが撮影代行者に電子カメラ１を手渡して、その撮影代行者に撮影をしてもらうこととなる。そのため、第１実施形態では、ユーザが電子カメラ１で仮撮影を行うフローチャート（図３）と撮影代行者が電子カメラ１で本撮影を行うフローチャート（図６）とに分けて説明する。
【００４４】
まず、ユーザが電子カメラ１で仮撮影を行う場合のフローチャートについて説明する。なお、記念撮影したい構図を図４（ａ）に示す。図４（ａ）では、建築物１００を背景に３人の人物（Ｐ１、Ｐ２、Ｐ３）が記念撮影するものとする。そして、人物Ｐ２が仮撮影を行うものとする。
【００４５】
ステップＳ１０１：ＣＰＵ１８は、撮像部１１を駆動させることによりスルー画像の取得を開始する。このスルー画像は液晶表示モニタ１６に表示される。
【００４６】
ステップＳ１０２：ＣＰＵ１８は、図２に示すレリーズボタン１７ａが半押しされたか否かを監視する。レリーズボタン１７ａが半押しされた場合（ステップＳ１０２：Ｙｅｓ）、ステップＳ１０３に移行する。一方、ＣＰＵ１８が半押しを検知しない場合（ステップＳ１０２：Ｎｏ）、レリーズボタン１７ａが半押しされるまでステップＳ１０２を繰り返す。
【００４７】
ステップＳ１０３：ＣＰＵ１８は、ＡＦ（自動合焦制御）、ＡＥ（自動露出制御）などを行って仮撮影に必要な撮影条件を設定する。
【００４８】
ステップＳ１０４：ＣＰＵ１８は、レリーズボタン１７ａが全押しされたか否かを監視する。レリーズボタン１７ａが全押しされた場合（ステップＳ１０４：Ｙｅｓ）、ステップＳ１０５に移行する。一方、ＣＰＵ１８が所定時間経過しても全押しを検知しない場合（ステップＳ１０４：Ｎｏ）、一旦設定された仮撮影の撮影条件が解除されて、ステップＳ１０２に戻る。
【００４９】
ステップＳ１０５：ＣＰＵ１８は、全押し操作を受けてプレ画像の取得のため、撮像部１１を駆動させる。この撮像部１１が出力する画像信号（デジタル信号）は、画像処理部１２へ入力される。画像処理部１２は、撮像部１１が出力するプレ画像データをＲＡＭ１３のフレームメモリに一旦記憶させる。また、液晶表示モニタ１６には図４（ｂ）に示すようにプレ画像が表示される。なお、図４（ｂ）では人物Ｐ２が点線で表されているが、これは、人物Ｐ２が仮撮影していることを明示的に示しているものであって、実際には人物Ｐ２が、プレ画像に写っているのではない。
【００５０】
ＣＰＵ１８は、ユーザ入力によりプレ画像が本撮影の構図として用いることを表す信号を受け付けると、ステップＳ１０６に移行する。一方、ユーザ入力によりプレ画像を再度取り直すことを表す信号を受け付けると、ステップＳ１０２に戻る。
【００５１】
ステップＳ１０６：ＣＰＵ１８は、ユーザ入力により、特徴輪郭線を設定する箇所を抽出するための輪郭線抽出枠３０ａ、３０ｂを図４（ｃ）のようにプレ画像上に表示する。なお、ユーザは、輪郭線抽出枠３０ａ、３０ｂを液晶表示モニタ１６上で設定するに際し、メニュー切替・実行キー１７ｆを操作するなどして、輪郭線抽出枠３０ａ、３０ｂを液晶表示モニタ１６上を自在に移動させることができる。ここでは、ユーザがメニュー切替・実行キー１７ｆを操作することにより輪郭線抽出枠３０ａ、３０ｂの位置を指定しているが、例えば、タッチパネルなどによって指定してもよい。
【００５２】
また、輪郭線抽出枠３０ａ、３０ｂは２つに限定されるものでなく、１つであってもよく若しくは２つ以上であってもよい。さらに、輪郭線抽出枠３０ａ、３０ｂの大きさ（形状を含む）もユーザ入力により任意に変更することができる。
【００５３】
ＣＰＵ１８は、ユーザ入力により輪郭線抽出枠３０ａ、３０ｂの設定が終了すると（ステップＳ１０６：Ｙｅｓ）、ステップＳ１０７に移行する。一方、ユーザ入力により輪郭線抽出枠３０ａ、３０ｂの設定が終了するまでは（ステップＳ１０６：Ｎｏ）、ステップＳ１０６を繰り返す。
【００５４】
ステップＳ１０７：ＣＰＵ１８の第１抽出部１８ａは、上述した通り、一例として特開２００６−２２２６９０号公報などに記載された輪郭線抽出処理によって被写体の輪郭を抽出する。次に、特徴輪郭線設定部１８ｂは、図５（ｄ）に示す通り、輪郭線抽出枠３０ａ、３０ｂ内に特徴輪郭線３１ａ、３１ｂを第１目印として液晶表示モニタ１６上に表示させる。
【００５５】
ステップＳ１０８：ＣＰＵ１８は、図５（ｅ）に示す通り、一例として“特徴輪郭線を設定しますか？”というメニュー画面を液晶表示モニタ１６上で表示させる。ＣＰＵ１８は、ユーザ入力により「特徴輪郭線を設定する」ことを表す信号を受け付けると（ステップＳ１０８：Ｙｅｓ）、ステップＳ１０９に移行する。一方、ＣＰＵ１８は、ユーザ入力により「特徴輪郭線を設定しない」ことを表す信号を受け付けると（ステップＳ１０８：Ｎｏ）、ステップＳ１０６に戻る。
【００５６】
ステップＳ１０９：ＣＰＵ１８は、液晶表示モニタ１６上に表示されている輪郭線抽出枠３０ａ、３０ｂを消去する。これにより、図５（ｆ）に示す通り、プレ画像に特徴輪郭線３１ａ、３１ｂが重畳表示される。
【００５７】
以上で、ユーザが電子カメラ１で仮撮影を行う場合のフローチャートの処理ルーチンが終了する。次に、撮影代行者が電子カメラ１で本撮影を行う場合のフローチャートについて説明する。
【００５８】
図６は、撮影代行者が電子カメラ１で本撮影を行う場合の動作の一例を表すフローチャートである。ここでは、ユーザが電子カメラ１を図５（ｆ）に示す状態で撮影代行者に渡すものとする。図７は、第１実施形態の記念撮影モードを説明する図である。
【００５９】
ステップＳ２０１：ＣＰＵ１８は、レリーズボタン１７ａが半押しされたか否かを監視する。レリーズボタン１７ａが半押しされた場合（ステップＳ２０１：Ｙｅｓ）、ステップＳ２０２に移行する。一方、ＣＰＵ１８が半押しを検知しない場合（ステップＳ２０１：Ｎｏ）、レリーズボタン１７ａが半押しされるまでステップＳ２０１を繰り返す。
【００６０】
ステップＳ２０２：ＣＰＵ１８は、レリーズボタン１７ａが半押しされたことを検知すると、表示ドライバ１５を介して液晶表示モニタ１６上のプレ画像表示をスルー画表示に切り替えさせる。これにより、スルー画像に特徴輪郭線３１ａ、３１ｂが重畳表示される。ここで、特徴輪郭線３１ａ、３１ｂは、スルー画像が変化しても液晶表示モニタ１６上では固定されており、後述する対応輪郭線はスルー画像の変化に伴い移動する。
【００６１】
ステップＳ２０３：ＣＰＵ１８の第２抽出部１８ｃは、一例として特開２００６−２２２６９０号公報などに記載された輪郭線抽出処理によってスルー画像データから現在の特徴部分の位置座標をリアルタイムで抽出する。これにより、第２抽出部１８ｃは、現在の特徴部分の位置を明示する対応輪郭線（第２目印）を生成する。なお、第２抽出部１８ｃは、予め定めた時間経過後、輪郭線抽出処理によって対応輪郭線を生成してもよい。これは、撮影代行者が構図をある誤差範囲で合わせるのに時間がかかることが想定されるので、その後、輪郭線抽出処理をすれば、演算負荷が軽減されるからである。
【００６２】
続いて、ＣＰＵ１８の目印表示制御部１８ｄは、図７（ａ）に示す通り、特徴輪郭線（第１目印）３１ａ、３１ｂ及び対応輪郭線（第２目印）３２ａ、３２ｂをスルー画像上に重畳表示させる。なお、液晶表示モニタ１６の枠外に絵がはみ出しているが、これは、説明をわかりやすくするため、構図がずれていることを表している。
【００６３】
ステップＳ２０４：ＣＰＵ１８の一致度判定部１８ｅは、スルー画像上に表示された特徴輪郭線３１ａと対応輪郭線３２ａとの一致度、特徴輪郭線３１ｂと対応輪郭線３２ｂとの一致度を各々判定する。一致度判定部１８ｅの判定結果が、特徴輪郭線３１ａと対応輪郭線３２ａとが重なっており、かつ、特徴輪郭線３１ｂと対応輪郭線３２ｂとが重なっている場合（ステップＳ２０４：Ｙｅｓ）、ステップＳ２０５に移行する。一方、重なっていない場合（ステップＳ２０４：Ｎｏ）、ステップＳ２１１に移行する（詳細は後述する）。
【００６４】
ステップＳ２０５：ＣＰＵ１８は、ＲＡＭ１３に一時記憶されている仮撮影時の撮影条件を読み出す。
【００６５】
ステップＳ２０６：ＣＰＵ１８は、自動露出制御により現在の露出値を再度検出する。
【００６６】
ステップＳ２０７：ＣＰＵ１８の音声ガイド部１８ｆは、特徴輪郭線（第１目印）３１ａ、３１ｂ及び対応輪郭線（第２目印）３２ａ、３２ｂとが一致したことを表す判定結果を音声信号にして、スピーカ２２を介してユーザに通知する。この場合、例えば、“撮影準備完了、全押して下さい”などの音声メッセージがスピーカ２２から発せられる。
【００６７】
ステップＳ２０８：ＣＰＵ１８は、レリーズボタン１７ａが全押しされたか否かを監視する。レリーズボタン１７ａが全押しされた場合（ステップＳ２０８：Ｙｅｓ）、ステップＳ２０９に移行する。一方、ＣＰＵ１８が全押しを検知しない場合（ステップＳ２０８：Ｎｏ）、レリーズボタン１７ａが全押しされるまでステップＳ２０８を繰り返す。
【００６８】
ステップＳ２０９：ＣＰＵ１８は、全押し操作を受けて本画像の取得のため、撮像部１１を駆動させる。この撮像部１１が出力する画像信号（デジタル信号）は、画像処理部１２へ入力される。画像処理部１２は、撮像部１１が出力するプレ画像データをＲＡＭ１３のフレームメモリに一旦記憶させる。画像処理部１２は、フレームメモリに記憶されている画像データに対してホワイトバランス補正処理、ゲインコントロール処理などの画像処理を行う。
【００６９】
ステップＳ２１０：ＣＰＵ１８は、画像処理後の画像を液晶表示モニタ１６に表示するとともに画像処理後の画像データを圧縮処理して記録媒体２１に保存する。そして、この処理ルーチンは終了する。
【００７０】
次に、ステップＳ２０４において、一致度判定部１８ｅの判定結果が、一致していない場合（ステップＳ２０４：Ｎｏ）の処理について説明する。この場合、ステップＳ２１１に移行する。
【００７１】
ステップＳ２１１：ＣＰＵ１８は、半押し操作がされると時間をカウントし始める。そして、ＣＰＵ１８は予め設定したα時間経過したか否かを監視する。α時間経過していない場合（ステップＳ２１１：Ｎｏ）、ステップＳ２０４に戻る。α時間経過した場合（ステップＳ２１１：Ｙｅｓ）、ステップＳ２１２に移行する。
【００７２】
ステップＳ２１２：ＣＰＵ１８は、１度警告音を発したか否かを判定する。１度も警告音を発していない場合（ステップＳ２１２：Ｎｏ）、ステップＳ２１４に移行する。この場合、ステップＳ２１４では、ＣＰＵ１８の音声ガイド部１８ｆの指示により、スピーカ２２から警告音が発せられる。そして、ステップＳ２０４に戻る。
【００７３】
一方、既に１度警告音を発している場合（ステップＳ２１２：Ｙｅｓ）、ステップＳ２１３に移行する。
【００７４】
ステップＳ２１３：ＣＰＵ１８は、予め設定したβ時間（β＞αとする）経過したか否かを監視する。β時間経過していない場合（ステップＳ２１３：Ｎｏ）、ステップＳ２０４に戻る。β時間経過した場合（ステップＳ２１３：Ｙｅｓ）、この処理ルーチンは終了し、撮影モード解除部１８ｇは、現在指定されている記念撮影モードを解除する。なお、ＣＰＵ１８は、強制レリーズを実行してもよい。
【００７５】
以上、第１実施形態によれば、記念撮影等を行う際に撮影代行者は、対応輪郭線を特徴輪郭線に重なるように構図を変更するという簡単な操作をするだけで、電子カメラ１のユーザが意図した構図の撮影を行うことが容易となる。万一、撮影代行者が操作に手間取っても、その場合の処理も考慮されており、撮影代行者の負担を軽減することができる。
【００７６】
第１実施形態によれば、ユーザがプレ画像の中から特徴輪郭線の抽出領域を指定できる。これにより、例えば、被撮影者（Ｐ１、Ｐ２、Ｐ３）が立っても隠れることのない背後の建築物の特徴的なエッジ部分を容易に指定できる。さらに、構図合わせが視覚的にしやすい特徴輪郭線の抽出領域を指定できるので、撮影代行者の構図合わせが容易となる。
【００７７】
また、第１実施形態では、本撮影に際し露出値を再度検出したが、これは、ユーザが仮撮影をしてから撮影代行者が本撮影するまで、ある程度の時間を要するので露出条件が異なる場合を想定している。これにより、本撮影においても適切な露出条件で撮影を実行することができる。また、第１実施形態では、一致度判定部１８ｅを備えることで、構図合わせの操作性が向上する。さらに、音声ガイド部１８ｆを備えることで、撮影代行者は構図が合ったことを容易に知ることができる。
（第１の変形例）
次に、第１実施形態の第１の変形例について説明する。第１実施形態では、輪郭線を抽出するに際し、２００６−２２２６９０号公報などに記載された輪郭線抽出処理によって被写体の輪郭を抽出した。ここで、輪郭を抽出する方法としては、例えば、他の公知例であるテンプレートマッチングの手段や本発明者が先に出願した特願２００７−２０１３８９６に記載されているパターン認識等の手段を用いてもよい。これにより、輪郭線抽出処理の精度が向上する。
【００７８】
図８は、テンプレートを例示する図である。ユーザは、液晶表示モニタ１６に表示されているテンプレートの図形を任意に選択することができる。例えば、ユーザが上に凸の図形を選択すると、第１抽出部１８ａは被写体の中から上に凸形状の輪郭を抽出する。また、ユーザが四角の図形を選択すると、第１抽出部１８ａは、Ｌ字型のエッジ部分の輪郭を抽出する。また、ユーザが三角の図形を選択すると、第１抽出部１８ａは、例えば鋭角が６０度以内のエッジ部分の輪郭を抽出する。
【００７９】
このようにして、ユーザが選択した図形（テンプレート）に基づいて、第１抽出部１８ａは、被写体の輪郭を抽出することができる。ユーザは１種類のテンプレートを選択してもよく、複数のテンプレートを選択してもよい。なお、テンプレートは、予めＲＯＭ１４に記憶されている。また、テンプレートは図８に示した図形に限定されるものではない。
【００８０】
図９は、第１実施形態の変形例における記念撮影モードを説明する図である。図９（ａ）は、図４（ｂ）と同様、ユーザ（人物Ｐ２）が仮撮影を行うときの液晶表示モニタ１６上の構図を表している。この状態で、例えばユーザがメニュー切替・実行キー１７ｆを操作してＯＮすると、第１抽出部１８ａは被写体の輪郭を表すテンプレートに基づいて輪郭をパターンマッチングにより抽出する。図９（ｂ）は、抽出結果を表しており、複数の特徴輪郭線が液晶表示モニタ１６上に表示される。この状態で、ユーザが任意の特徴輪郭線をメニュー切替・実行キー１７ｆを操作して選択すると、図９（ｃ）及び図５（ｄ）と同様に、特徴輪郭線３１ａ、３１ｂが選択される。その後の処理については、第１実施形態で説明した手順で実行される。
（第２の変形例）
次に、第１実施形態の第２の変形例について説明する。第２の変形例では、特徴輪郭線、対応輪郭線、表示枠をカラー表示することにより操作性を向上させる。
【００８１】
図１０は、第２の変形例における記念撮影モードを説明する図である。図１０（ａ）では、輪郭線抽出枠３０ａ、３０ｂが黄緑で表示されており、特徴輪郭線３１ａ、３１ｂが赤色に表示されている。一方、図１０（ｂ）では、特徴輪郭線３１ａ、３１ｂに加え、対応輪郭線３２ａ、３２ｂが黄色で表示されている。この場合、特徴輪郭線３１ａと対応輪郭線３２ａとが重なり、特徴輪郭線３１ｂと対応輪郭線３２ｂとが重なると、赤色の表示になる。こうすると、ユーザや撮影代行者は、操作が視覚的にわかりやすくなる。
（第３の変形例）
次に、第１実施形態の第３の変形例について説明する。第３の変形例では、一致度判定部１８ｅの判定結果が、特徴輪郭線と対応輪郭線との一致を判定すると、撮像部１１に本撮影を行わせる。具体的には、図６のフローチャートに示すステップＳ２０８の処理が、以下に説明する処理に置き換わる。すなわち、ＣＰＵ１８は、所定時間経過後に撮像部１１に撮影の指示を出す。こうすると、撮影代行者は構図合わせのみに専念することができる。
【００８２】
（第２実施形態）
次に、本発明の第２実施形態について説明する。なお、本発明の第１実施形態と本発明の第２実施形態とでは、同じ要素については同じ符号を付して説明を省略する。
【００８３】
第２実施形態では、特徴輪郭線と対応輪郭線の位置合わせの判断基準が第１実施形態とで異なる。
【００８４】
第２実施形態でもユーザが仮撮影を行う場合のフローチャート（図３）は、同様であるので説明は省略する。第１実施形態では、撮影代行者が本撮影を行うときに図６に示すフローチャートを実行したが、第２実施形態では、図１１に示すフローチャートを実行する。
【００８５】
図１１は、撮影代行者が電子カメラ１で本撮影を行う場合の動作の一例を表すフローチャートである。図１２は、第２実施形態の記念撮影モードを説明する図である。
【００８６】
ステップＳ３０１：ＣＰＵ１８は、図６のフローチャートと同様、レリーズボタン１７ａが半押しされたか否かを監視する。レリーズボタン１７ａが半押しされた場合（ステップＳ３０１：Ｙｅｓ）、ステップＳ３０２に移行する。一方、ＣＰＵ１８が半押しを検知しない場合（ステップＳ３０１：Ｎｏ）、レリーズボタン１７ａが半押しされるまでステップＳ３０１を繰り返す。
【００８７】
ステップＳ３０２：ＣＰＵ１８は、図６のフローチャートと同様、レリーズボタン１７ａが半押しされたことを検知すると、表示ドライバ１５を介して液晶表示モニタ１６上のプレ画像表示をスルー画表示に切り替えさせる。これにより、スルー画像に特徴輪郭線３１ａ、３１ｂが重畳表示される。
【００８８】
ステップＳ３０３：ＣＰＵ１８の第２抽出部１８ｃは、上述した輪郭線抽出処理によってスルー画像データから現在の特徴部分の位置座標を抽出し、対応輪郭線（第２目印）を生成する。続いて、ＣＰＵ１８の目印表示制御部１８ｄは、特徴輪郭線（第１目印）３１ａ、３１ｂ及び対応輪郭線３２ａ、３２ｂをスルー画像上に重畳表示させる。
【００８９】
ステップＳ３０４：ＣＰＵ１８は、特徴輪郭線と対応輪郭線との相対位置を検出する。相対位置の検出としては、ＣＰＵ１８は、例えば図１２（ａ）に示す特徴輪郭線３１ａの一辺と、その一辺に向かい合う対応輪郭線３２ａの一辺との距離（間隔）を計算する。この距離が予め定められた閾値以下であれば、特徴輪郭線３１ａと対応輪郭線３２ａはほぼ一致しているとみなす。
【００９０】
また、相対位置の検出における他の例としては、ＣＰＵ１８は、図１２（ａ）に示す特徴輪郭線３１ｂと対応輪郭線３２ｂとの端点同士（ＡＡ’間、ＢＢ’間、ＣＣ’間）の距離を計算する。これらの距離が予め定められた閾値以下であれば、特徴輪郭線３１ａと対応輪郭線３２ａはほぼ一致しているとみなす。
【００９１】
また、ＣＰＵ１８が、特徴輪郭線や対応輪郭線の図形における各重心位置を求めて、重心距離を求めてもよい。
【００９２】
ステップＳ３０５：ＣＰＵ１８は、半押し操作がされると時間をカウントし始めており、予め設定した時間が経過したか否かを監視する。設定時間を経過していない場合（ステップＳ３０５：Ｎｏ）、ステップＳ３０６に移行する。設定時間を経過した場合（ステップＳ３０５：Ｙｅｓ）、この処理ルーチンは終了し、撮影モード解除部１８ｇは、現在指定されている記念撮影モードを解除する。
【００９３】
ステップＳ３０６：ＣＰＵ１８の一致度判定部１８ｅは、ステップＳ３０４で求めた距離が予め設定した閾値以下であるか否かを判定する。距離が閾値以下である場合（ステップＳ３０６：Ｙｅｓ）、ステップＳ３０７に移行する。
【００９４】
ステップＳ３０７：ＣＰＵ１８は、ＲＡＭ１３に一時記憶されている仮撮影時の撮影条件を読み出す。
【００９５】
ステップＳ３０８：ＣＰＵ１８は、自動露出制御により現在の露出値を再度検出する。
【００９６】
ステップＳ３０９：ＣＰＵ１８の音声ガイド部１８ｆは、スピーカ２２を介して、撮影代行者に対して、例えば「撮影ＯＫです。シャッターを全押して下さい。」などの音声メッセージを通知する。
【００９７】
ステップＳ３１０：ＣＰＵ１８は、レリーズボタン１７ａが全押しされたか否かを監視する。レリーズボタン１７ａが全押しされた場合（ステップＳ３１０：Ｙｅｓ）、ステップＳ３１１に移行する。一方、ＣＰＵ１８が全押しを検知しない場合（ステップＳ３１０：Ｎｏ）、レリーズボタン１７ａが全押しされるまでステップＳ３１０を繰り返す。
【００９８】
ステップＳ３１１：ＣＰＵ１８は、全押し操作を受けて、第１実施例同様に本画像を取得する。
【００９９】
ステップＳ３１２：ＣＰＵ１８は、画像処理後の画像を液晶表示モニタ１６に表示するとともに画像処理後の画像データを圧縮処理して記録媒体２１に保存する。そして、この処理ルーチンは終了する。これにより、撮影代行者は、ユーザが望む構図の撮影を行うことができる。
【０１００】
次に、ステップＳ３０６の判定処理において、距離が閾値より大きい場合（ステップＳ３０６：Ｎｏ）について説明する。この場合、ステップＳ３１３に移行する。
【０１０１】
ステップＳ３１３：ＣＰＵ１８の一致度判定部１８ｅは、対応輪郭線が特徴輪郭線の内側又は外側にあるかを判定する。対応輪郭線が特徴輪郭線の内側又は外側にある場合（ステップＳ３１３：Ｙｅｓ）、ステップＳ３１４に移行する。例えば、図１２（ｂ）に示す通り、対応輪郭線３２ａ、３２ｂは特徴輪郭線３１ａ、３１ｂの内側に存在している。この場合にはステップＳ３１４に移行する。
【０１０２】
一方、対応輪郭線が特徴輪郭線の内側又は外側にない場合（ステップＳ３１３：Ｎｏ）、ステップＳ３０５に戻る。
【０１０３】
ステップＳ３１４：ＣＰＵ１８は、対応輪郭線３２ａ、３２ｂと、特徴輪郭線３１ａ、３１ｂとの位置関係に基づいて、電子カメラ１の前後の移動量を算出する。続いて、音声ガイド部１８ｆは、スピーカ２２を介して撮影代行者に「カメラを約γｃｍ前へ」あるいは、「カメラを約γｃｍ後ろへ」と指示を出す。そして、ステップＳ３０５に戻る。
【０１０４】
これにより、撮影代行者は電子カメラ１を前後させることで、対応輪郭線３２ａ、３２ｂと、特徴輪郭線３１ａ、３１ｂとを一致させる情報を得ることができる。なお、音声ガイド部１８ｆは、スピーカ２２を介して被撮影者に「もう少し前に出て下さい」あるいは「もう少し後に下がって下さい」などの指示を出してもよい。
【０１０５】
その後、距離が閾値以下になれば、ステップＳ３０７以降の処理が実行されて、撮影代行者は、ユーザが望む構図の撮影を行うことができる。一方、撮影代行者が位置合わせに時間をかけ過ぎるとステップＳ３０５の処理でタイムアウトになり、撮影モード解除部１８ｇは、現在指定されている記念撮影モードを解除する。
【０１０６】
なお、ステップＳ３０５の処理でタイムアウトになった場合、ＣＰＵ１８は、強制レリーズを実行してもよい。
【０１０７】
以上、第２実施形態によれば、第１実施形態同様、記念撮影等を行う際に撮影代行者は、対応輪郭線を特徴輪郭線に重なるように構図を変更するという簡単な操作をするだけで、電子カメラ１のユーザが意図する構図の撮影を行うことが容易となる。
＜実施形態の補足事項＞
（１）上記実施形態では、第１抽出部１８ａは、輪郭線を特徴輪郭線として抽出した。輪郭線の代わりに、特徴のある小さい領域（パターン等）を選択してもよい。この場合、特徴輪郭線は、単純形状（円形又は矩形等）の輪郭となるので、輪郭線距離の代わりに、中心間の距離を上記閾値以下に合わせるようにしてもよい。
【０１０８】
（２）上記実施形態では、第１抽出部１８ａは、特徴輪郭線又は特徴領域（パターン）抽出時間を短縮するために、プレ画像に対して、ある領域を指定したら、プレ画像全体ではなく、その指定した領域のみ輪郭線抽出処理を行ったが、一例として特開２００６−２２２６９０号公報などに記載された輪郭線抽出処理によって被写体のすべての輪郭を抽出してもよい。
【０１０９】
（３）上記実施形態では、ユーザが、プレ画像に対して特徴輪郭線を抽出する領域を指定したが、電子カメラ１のＣＰＵ１８が特徴輪郭線を抽出する領域を指定するようにしてもよい。この場合は、精度を上げるため、被写体（特徴物）の稜線を２カ所以上指定することが好ましい。
【０１１０】
（４）上記実施形態では、ユーザは、プレ画像が表示されている状態で撮影代行者に電子カメラ１を手渡した。そして、撮影代行者が半押しすると、スルー画像に切り替わったが、スルー画像上に特徴輪郭線が表示されている状態で撮影代行者に電子カメラ１を手渡してもよい。
【符号の説明】
【０１１１】
１・・・電子カメラ、１８ａ・・・第１抽出部、１８ｂ・・・特徴輪郭線設定部、１８ｃ・・・第２抽出部、１８ｄ・・・目印表示制御部、１８ｅ・・・一致度判定部、１８ｆ・・・音声ガイド部
【先行技術文献】
【特許文献】
【０１１２】
【特許文献１】特開２００６−２２２６９０号公報
【特許文献２】特開２００３−３３３３７９号公報
【図１】
2010193050.tif 000003
【図２】
2010193050.tif 000004
【図３】
2010193050.tif 000005
【図４】
2010193050.tif 000006
【図５】
2010193050.tif 000007
【図６】
2010193050.tif 000008
【図７】
2010193050.tif 000009
【図８】
2010193050.tif 000010
【図９】
2010193050.tif 000011
【図１１】
2010193050.tif 000012
【図１２】
2010193050.tif 000013
【図１０】
2010193050.tif 000014